(57)【特許請求の範囲】
【請求項１】
第１の焦点距離を有する撮影光学系と、
この撮影光学系の光路中に設けられ被写体像光の光路を変更する第１の反射部材と、
上記被写体像光の光路をさらに変更して接眼レンズに導く第２の反射部材と、
を有するファインダ光学系と、
上記撮影光学系の光路内へ挿入された挿入位置と、光路外へ退避された退避位置とに移動可能であって、上記撮影光学系の光路内への挿入により上記第１の焦点距離を変更して第２の焦点距離とするコンバージョンレンズと、
不使用時にはカメラ筐体上方であって、上記撮影光学系を組み込んだレンズ鏡筒の上方に設けられた凹部に格納可能に構成されるストロボ発光装置と、
を備え、
上記第２の反射部材と、上記凹部とは、所定間隔をあけて配置され、この所定間隔内に上記コンバージョンレンズが退避されることを特徴とするコンバージョンレンズを備えたカメラ。
【請求項２】
上記第２の反射部材は、プリズム又はミラーのいずれかであることを特徴とする請求項１に記載のコンバージョンレンズを備えたカメラ。
【発明の詳細な説明】
【０００１】
【発明の属する技術分野】
本発明は、銀塩カメラや電子カメラ等のカメラに係り、特に、ズームレンズをカメラ本体に一体的に備えると共にズームレンズ系の光路内にコンバージョンレンズを挿脱させるカメラに関する。
【０００２】
【従来の技術】
焦点距離を可変するズームレンズをカメラ本体に一体的に設けたカメラが知られている。このようなズームレンズ一体型カメラは、一般的な交換可能なタイプに比べて、カメラ全体の大きさの制限から、大ズーム比のズームレンズを搭載することができない。
【０００３】
そこで、ズームレンズの前側つまり被写体側にコンバージョンレンズ（フロントコンバージョンレンズ）を装着したりすることで、ズームレンズのみの変倍範囲とは異なる範囲での変倍を行わせるという手法が取られている。
【０００４】
しかし、このようなコンバージョンレンズは、使用する際には、ズームレンズの前側に撮影者自身が装着しなければならない上、カメラとは別途携帯することとなり、装着に手間がかかるものであり、場合によってはシャッタチャンスを逃す原因となる。
【０００５】
そこで本出願人により、例えば特開平２−７９８１０号公報に、ズームレンズ一体型のカメラにおいて、ズームレンズの後側、つまり銀塩カメラであればフィルム面側に、挿脱可能なコンバージョンレンズ（リアコンバージョンレンズ）を内蔵させ、必要に応じて自動的にコンバージョンレンズを光路内に挿入して、ズームレンズのみの変倍範囲とは異なる範囲での変倍を行わせるカメラを提案している。
【０００６】
【発明が解決しようとする課題】
このようなコンバージョンレンズを光路内に挿入すると、変倍範囲は広くなるが、使用していない場合には光路内から退避させるため、その退避スペースが必要となる。
【０００７】
前述した公報に開示されるカメラは、光学的な構成を述べるに留まり、実施するにあっては、そのコンバージョンレンズを退避するスペースについては何ら解決されていない。
【０００８】
従って、この構成でカメラを製作した場合、画質等を考慮してレンズ径が大きなコンバージョンレンズを採用する程、カメラの厚みが不用意に増して、撮影時にホールドしづらくなったり、カメラ全体が大型化する。また、カメラ本体とズームレンズがコンパクトに一体化して大きな特徴となっている外観フォルムが不自然に崩れてしまう。
【０００９】
そこで本発明は、上記の点に鑑みてなされたもので、レンズ径の大きいコンバージョンレンズの装備も可能で、その退避スペースを確保しつつ、カメラ全体の大型化を防止し、且つコンパクトな外観フォルムを崩さないコンバージョンレンズを備えたカメラを提供することを目的とする。
【００１０】
【課題を解決するための手段】
本発明は上記目的を達成するために、第１の焦点距離を有する撮影光学系と、この撮影光学系の光路中に設けられ被写体像光の光路を変更する第１の反射部材と、上記被写体像光の光路をさらに変更して接眼レンズに導く第２の反射部材と、を有するファインダ光学系と、上記撮影光学系の光路内へ挿入された挿入位置と、光路外へ退避された退避位置とに移動可能であって、上記撮影光学系の光路内への挿入により上記第１の焦点距離を変更して第２の焦点距離とするコンバージョンレンズと、不使用時にはカメラ筐体上方であって、上記撮影光学系を組み込んだレンズ鏡筒の上方に設けられた凹部に格納可能に構成されるストロボ発光装置と、を備え、上記第２の反射部材と、上記凹部とは、所定間隔をあけて配置され、この所定間隔内に上記コンバージョンレンズが退避されることを特徴とするコンバージョンレンズを備えたカメラを提供する。
【００１２】
以上のような構成のコンバージョンレンズを備えたカメラは、カメラ本体上部に備えられた撮影時にポップアップするリトラクタブルストロボのストロボ発光部を前方に延長して配置することにより、そのストロボ発光部とペンタプリズムとの間にスペースが形成され、そのスペースをコンバージョンレンズの不使用時に退避させるための退避スペースとして使用して、カメラの大型化を最小限に止め、外観フォルムを崩さずにコンバージョンレンズの退避スペースを確保する。
【００１３】
【発明の実施の形態】
以下、図面を参照して本発明の実施形態について詳細に説明する。
図１には、本発明による第１の実施形態に係るコンバージョンレンズ（テレコンバージョンレンズ）を備えたカメラの構成例を示し、図２（ａ）には、そのカメラの外観を示し、図２（ｂ）には、ズームレンズ光学系（撮影光学系）の後方側に装着されたコンバージョンレンズの構成を示して、詳細に説明する。
【００１４】
図２（ａ）に示すように、本実施形態は、カメラ本体１のカメラ筐体（カメラ外装）内に１群枠２を含むレンズ鏡筒５を主とするズームレンズ光学系（撮影光学系）が設けられた構造であり、その外部上面には、レリーズボタン３とズームレバー４や、後述するコンバージョンレンズ６（コンバージョンレンズ枠１０）を光路内に挿脱するためのテレコン挿脱スイッチ３１が配置され、さらにカメラ本体上面に凹部を設けて不使用時は嵌合して、使用時には上方にポップアップするストロボ発光部１９を有するリトラクタブルストロボ１８が設けられる。
【００１５】
上記カメラ本体１内においては、図１に示すようにレンズ鏡筒５の後方に、撮影時にアップするミラー１４、シャッタ１５及びフィルム１６が配置され、さらにミラー１４上方には、スクリーン２１、コンデンサレンズ２０、及びペンタプリズム１７が配置され、ミラー１４で反射された光像の光路をペンタプリズム１７でさらに変更して、カメラ本体１の後面に設けられたファインダ（図示せず）から撮影者が、撮影する構図が確認できるようにファインダ対物光学系２２が設けられている。
【００１６】
また、レンズ鏡筒５及びコンバージョンレンズ６の構成は、図２（ｂ）に示すように、複数のレンズ群が移動して変倍を行うズームレンズ光学系（主レンズ）を収納したレンズ鏡筒５と、この主レンズの像面側の光路内に挿脱可能に設けられ、上記主レンズの光路内に挿入することにより、主レンズのみの変倍範囲とは異なる範囲での変倍を行わせる負の屈折率を持つコンバージョンレンズ６が填め込まれたコンバージョンレンズ枠１０とが配置されている。
【００１７】
本実施形態では、テレ側に焦点距離を変倍するコンバージョンレンズを想定しているが、勿論これに限定されず、ワイド側に焦点距離を変倍するコンバージョンレンズであってもよい。
【００１８】
上記レンズ鏡筒５は、複数、例えば５つのレンズ群をそれぞれ保持する５つのレンズ群枠（図中、そのうちの１群枠２のみを示している）と、これらレンズ群枠を移動させて変倍を行うためのカム溝が切られた回転枠７と、レンズ群枠の移動方向を光軸方向に制限するための回転しない固定枠８とが組み合わせられている。
【００１９】
このようなレンズ鏡筒５の側面に沿って断面Ｌ字型の腕部９が延在し、その後端に上記コンバージョンレンズ６を填め込んで保持するコンバージョンレンズ枠１０が設けられている。この腕部９の前端は、ギヤ溝が切られた従動ギヤ部１１となっており、図示しないモータによって駆動される駆動ギヤ１２と噛合している。これらの従動ギヤ部１１と駆動ギヤ１２のそれぞれの軸は、カメラ本体１に固定された支持部１３に取り付けられている。
【００２０】
そして、カメラ外装内で、リトラクタブルストロボ１８のストロボ発光部１９とカメラ外装１内のペンタプリズム１７との間に退避用のスペースを設けおり、コンバージョンレンズ枠１０がズームレンズ光学系の光路外に脱出させた場合には、その退避スペースに退避させる。
【００２１】
この退避スペースは、リトラクタブルストロボ１８のストロボ発光部１９を前方（被写体側）に延ばすことにより、ペンタプリズム１７との間に作りだしている。
【００２２】
次に図３（ａ）、（ｂ）を参照して、コンバージョンレンズ６の光路への挿入及び脱出の動作について説明する。
図３（ａ）は、コンバージョンレンズ６がズームレンズ光学系の光路内に挿入している状態を示す。
【００２３】
上記テレコン挿脱スイッチの操作や予め定めたシーケンス等により、光路から退避した状態から光路内に挿入される場合に、図示しないモータによる駆動ギヤ１２の矢印Ａ方向の回転に伴なって、従動ギヤ１１が矢印Ｂ方向に回動し、レンズ鏡筒５とミラー１４との間にコンバージョンレンズ６が挿入され、正確な位置にセットされるように腕部９を保持するストッパ１７に当接して停止する。
【００２４】
また図３（ｂ）に示すように、ズームレンズ光学系の光路外へコンバージョンレンズ６を脱出して退避させた状態においては、図示しないモータによる駆動ギヤ１２の矢印Ａ方向と反対方向の回転に伴なって、従動ギヤ１１が矢印Ｂ方向と反対方向に回動して、腕部９を上方に移動させ、リトラクタブルストロボ１８の収納スペース下方で、カメラ外装１ａ内のペンタプリズム１７の前方に形成された退避スペースに退避させて収容する。
【００２５】
以上説明したように本実施形態によれば、カメラ本体上部に備えられた撮影時にポップアップするリトラクタブルストロボのストロボ発光部を前方に延長して配置し、そのストロボ発光部とペンタプリズムとの間を所定距離を離してスペースを形成し、そのスペースをコンバージョンレンズの不使用時に退避させるための退避スペースとして使用することにより、カメラの大型化を最小限に止め、外観フォルムを崩さずにコンバージョンレンズの退避スペースを確保することができる。
【００２６】
次に図４（ａ）には、本発明による第２の実施形態に係る２種類のコンバージョンレンズ（テレコンバージョンレンズ及びワイドコンバージョンレンズ）を備えたカメラの構成例を示し、図４（ｂ）には、コンバージョンレンズが共に退避した状態を示し、図４（ｃ）には、コンバージョンレンズを主レンズ（ズームレンズ光学系）にそれぞれ挿入した場合の焦点距離の変倍の範囲を示し説明する。
【００２７】
前述した第１の実施形態では、基本的にはテレコンバージョンレンズをズームレンズ光学系の後方側（フィルム面側）に挿入して、テレ側の焦点距離の範囲を大きくしたが、本実施形態では、テレ側にコンバージョンレンズを設けたと同様にワイド側にもコンバージョンレンズを設けてワイド側の焦点距離の範囲を大きくする構成例である。
【００２８】
図４（ａ）に示すように、ワイド側の焦点距離を変倍するためのワイドコンバージョンレンズを保持するワイドコンバージョンレンズ枠１０ａと、前述した第１の実施形態と同様なテレ側に焦点距離を変倍するテレコンバージョンレンズを保持するテレコンバージョンレンズ枠１０ｂとを備えている。これらの挿脱の動作は、第１の実施形態と同様に、図示しないモータに接続する駆動ギヤ１２ａ，１２ｂと、腕部９ａ，９ｂに設けられた従動ギヤ１１ａ，１１ｂを噛み合わせて回動させる。ここで、クラッチ等を設けて１つのモータで切り換えてそれぞれの駆動ギヤを駆動させてもよい。
【００２９】
図４（ｂ）に示すように、ズームレンズ光学系の光路外に２つのテレ及びワイドコンバージョンレンズは、リトラクタブルストロボ１８のストロボ発光部の収納スペースと、カメラ外装１ａ内のペンタプリズム１７の前方との間に形成された退避スペースに共に退避させて収容する。
【００３０】
これらのワイドコンバージョンレンズとテレコンバージョンレンズを備えることにより、図４（ｃ）に示すように主レンズとなるズームレンズ光学系の変倍範囲が例えば、３５mm〜８０mmとしても、例えば、０．７倍のワイドコンバージョンレンズを挿入することにより、２１mm〜４８mmの変倍範囲が得られ、また換わって、例えば２倍のテレコンバージョンレンズを挿入することにより、７０mm〜１６０mmの変倍範囲が得られるため、カメラとしては、２１mm〜１６０mmをカバーする変倍範囲を得ることができる。
【００３１】
以上説明したように本実施形態によれば、カメラ本体上部に備えられた撮影時にポップアップするリトラクタブルストロボのストロボ発光部を前方に延長してそのストロボ発光部とペンタプリズムとの間を離してスペースを形成し、そのスペースを２種類のワイドコンバージョンレンズ及びテレコンバージョンレンズの不使用時には、退避スペースとして使用して、ズームレンズ光学系に装備させることにより、焦点距離をワイド側及びテレ側に広げて、通常のズームレンズによる変倍範囲をより広くすることができる。
【００３２】
更にカメラの大型化を最小限に止め、外観フォルムを崩さずにコンバージョンレンズの退避スペースを確保することができる。
尚、本実施形態では、銀塩カメラを例として説明したが、勿論、これに限定されるものではなく、電子カメラ等の光学レンズにより光像を結像し、この光像を電気的に処理するカメラに対しても適用することができる。
【００３３】
また第１、第２の実施形態において、コンバージョンレンズを回動させるための駆動源となるモータは個別に用意してもよいし、ズームレンズやフィルム給送等の他の構成部位の駆動させるモータをギヤやクラッチ等で連結して兼用してもよい。なるべく高トルクを有するモータを利用することが望ましい。
【００３４】
さらに、本実施形態では、２種類のコンバージョンレンズを搭載した例について説明したが、退避スペースに収納可能であれば、これに限定されず、３種類以上のコンバージョンレンズを搭載してもよいし、このような場合、コンバージョンレンズに限らず、フィルタとして機能するような別の機能を有するレンズ等を搭載してもよい。
【００３５】
以上の実施形態について説明したが、本明細書には以下のような発明も含まれている。
（１）通常のズーム変倍範囲を規定する広角端と望遠端との間で変倍可能なズームレンズ光学系と、
このズームレンズ光学系の光路中に設けられ被写体像光の光路を変更する第１の反射部材と、上記被写体像光の光路をさらに変更して接眼レンズに導く第２の反射部材と、を有するファインダ光学系と、
上記ズームレンズ光学系の光路内へ挿入された挿入位置と、光路外へ退避された退避位置とに移動可能に設けられ、該ズームレンズ光学系の光路内への挿入により、上記通常のズーム変倍範囲を超えた異なる範囲での変倍を可能とするコンバージョンレンズと、を備え、
上記コンバージョンレンズの退避位置は、上記第２の反射部材近傍であることを特徴とするコンバージョンレンズを備えたカメラ。
【００３６】
（２）少なくとも第１の焦点距離を有する撮影光学系と、
この撮影光学系の光路中に設けられ被写体像光の光路を変更する第１の反射部材と、上記被写体像光の光路をさらに変更して接眼レンズに導く第２の反射部材と、を有するファインダ光学系と、
上記撮影光学系の光路内へ挿入された挿入位置と、光路外へ退避された退避位置とに移動可能であって、上記撮影光学系の光路内への挿入により上記第１の焦点距離を変更して第２の焦点距離とする第１のコンバージョンレンズと、
上記撮影光学系の光路内へ挿入された押入位置と、光路外へ退避された退避位置とに移動可能であって、上記撮影光学系の光路内への挿入により上記第１の焦点距離を変更して第３の焦点距離とする第２のコンバージョンレンズと、を備え、  上記第１及び第２のコンバージョンレンズがともに上記撮影光学系の光路から退避した際の退避位置は、上記第２の反射部材近傍であることを特徴とするコンバージョンレンズを備えたカメラ。
【００３７】
（３）通常のズーム変倍範囲を規定する広角端と望遠端との間で変倍可能なズームレンズ光学系と、
このズームレンズ光学系の光路中に設けられ被写体像光の光路を変更する第１の反射部材と、上記被写体像光の光路をさらに変更して接眼レンズに導く第２の反射部材と、を有するファインダ光学系と、
上記ズームレンズ光学系の光路内へ挿入された挿入位置と、光路外へ退避された退避位置とに移動可能であって、該ズームレンズ光学系の光路内への挿入により、上記通常のズーム変倍範囲のうち広角端を超える範囲の変倍を可能とする第１のコンバージョンレンズと、
上記ズームレンズ光学系の光路内へ挿入された挿入位置と、光路外へ退避された退避位置とに移動可能であって、該ズームレンズ光学系の光路内への挿入により、上記通常のズーム変倍範囲のうち、望遠端を超える範囲の変倍を可能とする第２のコンバージョンレンズと、を備え、
上記第１及び第２のコンバージョンレンズがともに上記撮影光学系の光路から退避した際の退避位置は、上記第２の反射部材近傍であることを特徴とするコンバージョンレンズを備えたカメラ。
【００３８】
（４）上記第１及び第２のコンバージョンレンズは、一方のコンバージョンレンズが上記撮影光学系の光路内に挿入されているときは、他方のコンバージョンレンズが上記第２の反射部材近傍に退避していることを特徴とする上記（２）項または上記（３）項に記載のコンバージョンレンズを備えたカメラ。
【００３９】
（５）さらに、不使用時にはカメラ筐体上に設けられた凹部に格納可能に構成されるストロボ発光装置を備え、
上記第２の反射部材と上記凹部とは、所定間隔をあけて配置され、この所定間隔内に上記コンバージョンレンズが退避されることを特徴とする上記（１）項乃至（３）項に記載のコンバージョンレンズを備えたカメラ。
【００４０】
（６）上記第２の反射部材は、プリズムまたはミラーであることを特徴とする上記（１）項乃至（３）項記載のコンバージョンレンズを備えたカメラ。
（７）上記第２の反射部材は、ペンタプリズムまたはダハミラーであることを特徴とする上記（１）項乃至（３）項記載のコンバージョンレンズを備えたカメラ。
【００４１】
【発明の効果】
以上詳述したように、本発明によれば、大きなレンズ径のコンバージョンレンズの装備可能で、その退避スペースを確保しつつ、カメラ全体の大型化を防止し、且つコンパクトな外観フォルムを崩さないコンバージョンレンズを備えたカメラを提供することができる。
【図面の簡単な説明】
【図１】本発明による第１の実施形態に係るコンバージョンレンズを備えるカメラの構成例を示す図である。
【図２】図２（ａ）は、コンバージョンレンズを備えたカメラの外観を示し、図２（ｂ）は、ズームレンズ光学系のリア側に装着されたコンバージョンレンズの構成を示す図である。
【図３】図３（ａ）は、コンバージョンレンズを光路内に挿入した状態を示し、図３（ｂ）は、コンバージョンレンズを光路内から脱出して退避させた状態を示す図である。
【図４】図４（ａ）は、本発明による第２の実施形態に係る２種類のコンバージョンレンズを備えたカメラの構成例を示し、図４（ｂ）は、コンバージョンレンズが共に退避した状態を示し、図４（ｃ）は、コンバージョンレンズを主レンズ（ズームレンズ光学系）にそれぞれ挿入した場合の焦点距離の変化の範囲を示す図である。
【符号の説明】
１…カメラ本体（カメラ外装）
２…１群枠
３…レリーズボタン
４…ズームレバー
５…レンズ鏡筒
６…コンバージョンレンズ
７…回転枠
８…固定枠
９…腕部
１０…コンバージョンレンズ枠
１１…従動ギヤ部
１２…駆動ギヤ
１３…支持部
１４…ミラー（第１の反射部部材）
１５…シャッタ
１６…フィルム
１７…ペンタプリズム（第２の反射部材）
１８…リトラクタブルストロボ
１９…ストロボ発光部
２０…コンデンサレンズ
２１…スクリーン
２２…ファインダ対物光学系
３１…テレコン挿脱スイッチ
【図１】
0004144934.tif 000002
【図２】
0004144934.tif 000003
【図３】
0004144934.tif 000004
【図４】
0004144934.tif 000005